(57)【要約】本発明は、プレポリマー化合物と紫外線吸収剤の共縮合によって生産される、オキサニリド又はベンジリデン−マロネート型の化学結合紫外線吸収剤を含むポリアミド、及び縮合反応の前にプレポリマー化合物と紫外線吸収剤を混合し、紫外線吸収剤をプレポリマー化合物に対して０．０００１重量％から５重量％の濃度範囲で使用する、改善された機能特性を有するポリアミドの生産のための方法に関する。前記ポリアミドは、改善された機能特性を有する繊維の製造に特に適する。【特許請求の範囲】
【請求項１】
プレポリマー化合物と紫外線吸収剤の共縮合によって生産される、オキサニリド又はベンジリデン−マロネート型の化学結合紫外線吸収剤を含むポリアミド。
【請求項２】
紫外線吸収剤が２−エチル−２’−エトキシ−オキサニリド又はプロパン二酸−［（４−メトキシフェニル）−メチレン］−ジメチルエステルである、請求項１に記載のポリアミド。
【請求項３】
プレポリマー化合物がカプロラクタム、ε−アミノ−カプロン酸及び安息香酸である、請求項１又は２に記載のポリアミド。
【請求項４】
縮合反応の前にプレポリマー化合物と紫外線吸収剤を混合し、紫外線吸収剤をプレポリマー化合物に対して０．０００１重量％から５重量％の濃度範囲で使用する、請求項１から３のいずれかに記載の、改善された力学的特性を有するポリアミドの生産のための方法。
【請求項５】
紫外線吸収剤の濃度がプレポリマー化合物に対して０．００１重量％から３重量％である、請求項４に記載の方法。
【請求項６】
改善された力学的特性を有する繊維の製造のための、請求項１から３のいずれかに記載のポリアミドの使用方法。
【発明の詳細な説明】
【技術分野】
【０００１】
本発明は、プレポリマー化合物と紫外線吸収剤の共縮合によって生産される化学結合紫外線吸収剤を含むポリアミドに関する。
【背景技術】
【０００２】
化学組成によれば、ポリアミドの大半は、全芳香族、芳香−脂肪族、全脂肪族又は脂環式−脂肪族として分類されうる。最も多いポリアミド、ナイロン６及びナイロン６６は脂肪族ポリアミドである。米国連邦取引委員会（Ｕ．Ｓ．Ｆｅｄｅｒａｌ  Ｔｒａｄｅ  Ｃｏｍｍｉｓｓｉｏｎ）の用語において、「ナイロン」は、脂肪族ポリアミドと脂環式ポリアミドから重縮合によって作られる繊維であり、アラミドは、２つの芳香環に直接結合した少なくとも８５％のアミド結合を有する芳香族ポリアミドから作られる繊維である。用途の見地からは、ナイロンとアラミドは、その繊維を指すだけでなく、ポリアミド自体も表わす。
【０００３】
線維適用での有用な性質であるアラミドの高い融点は、成形によるそれらの製造を実際上不可能にする。大部分のナイロンは、繊維として使用することに加えてプラスチックとしても使用できる；ナイロン１２のような一部のナイロンは、プラスチックとしてのみ使用される。さらに、一部のポリアミドは接着剤及び被覆剤として使用される。
【０００４】
標準的なポリアミドモノマーと他の脂肪族モノマーの共重合により、より低い融点とより広い溶融加工範囲を備えた製品が実現される。一般にそれらの共重合体は、低いレベルの結晶化度、密度及び剛性、しかし改善された溶解度を示す。
【０００５】
ポリアミドは、射出成形、吹込み成形、押出し、注型、溶液被覆及び静電被覆などの様々な異なる手法によって最終製品に加工される。必要な加工に必要な条件を適合させるために、分子量を変えることができる。それらの最終適用の範囲はかなり広く、例えば輸送目的から電気コネクター用の非強化樹脂及び自動車適用のための風防ガラスから（ガラス製）強化ポリアミド、ならびに主として自動車分野のためのミネラル充填ポリアミドに及ぶ。
【０００６】
これらの適用はすべて特殊な性質を必要とし、それらは適切な添加物の使用によって保持され、支えられている。特に、良好な衝撃強度、硬度、非常に優れた摩耗抵抗性、及び加熱時の寸法安定性、有機溶媒に対する抵抗性及び良好な潤滑特性が必要とされる。
【０００７】
特に、例えばカーペットに使用されるようなポリアミド繊維の保護のため及びそれらの紡績効率を維持するために、生産工程の間にいくつかの添加物が組み込まれる。安定剤は、高い熱安定性、引張り強度及び疲労抵抗性を保証するだけでなく、長期的な熱及び光暴露の間のより良好な色特性も保証する。それらの添加物がポリマーマトリックス中に均一に分布することは、経済的な紡績加工のためならびに長寿命で高品質の繊維のための重要な必要条件である。
【発明の開示】
【発明が解決しようとする課題】
【０００８】
しかし、産業界は、ポリアミド製品（例えばＰＡ繊維）が長い寿命の間日光に暴露されるということから生じる問題に直面しなければならない。肉眼で観察できる劣化作用は、表面分解による退色から、損傷したけば（ｐｉｌｅ）部分のその後の磨耗を伴うＰＡ製品の完全な劣化までにわたる。
【０００９】
合成ポリアミドの劣化は、日光、熱、酸素、及びポリアミド鎖の結合切断をもたらす多くの種類の不純物によって引き起こされうる。それらの大きな表面対容積比により、特にポリアミド繊維はラジカルプロセス（ｒａｄｉｃａｌ  ｐｒｏｃｅｓｓｅｓ）による光酸化などの工程によって劣化を受けやすい。
【００１０】
紫外線による劣化からポリマーを保護するための最も明瞭な可能性は、適切な発色団を有する分子を用いて紫外線吸収を予防すること若しくは少なくとも吸収を低減することに基づく。それらの化合物は励起状態へと変換され、迅速な分子内プロセスによって失活して、最終的にはもとの基底状態に戻る［Ｈ．Ｚｗｅｉｆｅｌ，Ｓｔａｂｉｌｉｚａｔｉｏｎ  ｏｆ  Ｐｏｌｙｍｅｒｉｃ  Ｍａｔｅｒｉａｌｓ，Ｓｐｒｉｎｇｅｒ  Ｐｕｂｌｉｓｈｅｒｓ，Ｂｅｒｌｉｎ，Ｈｅｉｄｅｌｂｅｒｇ，Ｎｅｗ  Ｙｏｒｋ，ｐ．５９（１９９８）］。もう１つの可能性は、光が誘発する励起状態の失活を通して開始速度を低下させることによって与えられる。
【００１１】
それ故、紫外線吸収剤は有害な光線を吸収して、一般にはそれらを熱として消散させる。それらの分子は、さもなければ二次反応においてあまりにも速く消費されてしまうので、光化学的に非常に安定でなければならない［Ｌｉｔ．Ｒ．ＧａｃｈｅｒとＨ．Ｍｕｌｌｅｒ，Ｐｌａｓｔｉｃ  Ａｄｄｉｔｉｖｅｓ  Ｈａｎｄｂｏｏｋ，第３版、Ｈａｎｓｅｒ  Ｐｕｂｌｉｓｈｅｒｓ，Ｍｕｎｉｃｈ，Ｖｉｅｎｎａ，Ｎｅｗ  Ｙｏｒｋ，ｐ．１７５（１９９０）］。紫外線吸収剤は、λ＝２８０ｎｍから４００ｎｍのスペクトル範囲の高い吸光係数を特徴とする、一般に無色の化合物である。従来、これらの化合物はポリマーマトリックスに溶解されて、基質特異的吸収プロセスと競合する。紫外線吸収試薬の効力はその濃度とポリマー製品の厚さに依存する。
【００１２】
２−エチル−２’−エトキシ−オキサニリド（Ｓａｎｄｕｖｏｒ（登録商標）ＶＳＵとして市販されている）：
【００１３】
【化１】
2004537632.tif 000002
のようなオキサニリドのクラス、プロパン二酸−［（４−メトキシフェニル）−メチレン］−ジメチルエステル（Ｓａｎｄｕｖｏｒ（登録商標）ＰＲ−２５として市販されている）：
【００１４】
【化２】
2004537632.tif 000003
のようなベンジリデン−マロネート、及び構造的に関連するベンジリデン−ビス−マロネートなどからの紫外線吸収剤が、短波長体系（高エネルギーＵＶ−Ｂ）におけるプラスチックのための無色紫外線吸収剤として使用される。
【００１５】
それらの効力にもかかわらず、慣例的にそれらの種類の安定剤と混合されたポリアミドは、長年にわたって、しばしば様々な度合での基質からの移動と蒸発という問題に直面する。
【課題を解決するための手段】
【００１６】
意外にも、上述した紫外線吸収剤とポリアミドの共縮合は、改善された機能特性を備えた繊維へと生産することができる、安定なポリアミド材料を導くことが発見された。
【００１７】
当初、対応するポリアミドの製造の間に所与の種類の紫外線吸収剤を共縮合するという試みは、「注文仕立ての（ｔａｉｌｏｒ−ｍａｄｅ）」共縮合による化学反応が起こるかどうか、どのような種類の共重合体が構築されるか（統計的に分布したコモノマー又はブロック共重合体との共重合体）、基本的紫外線吸収剤の基本構造が、分子又はもっと後にはモノマー単位がそれらの効力を失うという意味で変化するかどうか、及び最終産物の最終特性に関してどのような結果が達成されるかが全く不明であったので、リスクの高い計画であると思われた。
【００１８】
生じたポリアミド繊維は、意外にも、既に重合したポリマーに安定剤を加えるという従来の方法に比べて改善された機能特性を示した。
【発明を実施するための最良の形態】
【００１９】
本発明の目的は、それ故、プレポリマー化合物と紫外線吸収剤の共縮合によって生産される、オキサニリド又はベンジリデン−マロネート型の化学結合紫外線吸収剤を含むポリアミドである。
【００２０】
紫外線吸収剤が２−エチル−２’−エトキシ−オキサニリド又はプロパン二酸−［（４−メトキシフェニル）−メチレン］−ジメチルエステルであるポリアミドが好ましい。
【００２１】
プレポリマー化合物がカプロラクタム、ε−アミノ−カプロン酸及び安息香酸である、上述したようなポリアミドが特に好ましい。
【００２２】
本発明のさらなる目的は、
縮合反応の前にプレポリマー化合物と紫外線吸収剤を混合し、紫外線吸収剤をプレポリマー化合物に対して０．０００１重量％から５重量％、好ましくは０．００１重量％から３重量％の濃度範囲で使用する、上述したような改善された機能特性を有するポリアミドの生産のための方法である。
【００２３】
本発明のさらなる目的は、改善された機能特性を有する繊維の製造のための、上述したようなポリアミドの使用方法である。
【００２４】
前記紫外線吸収剤は、基本的にジアミン及びジカルボン酸から及び／又はアミノカルボン酸及び／又は対応するラクタムから誘導されるポリアミド、ポリアクリルアミド及びコポリアミドの製造中の共縮合によるさらなる反応のために「インサイチューで」使用することができるエステル又はアミドを含む。
【００２５】
例は、ポリアミド−４、ポリアミド−６、ポリアミド−６，６、６，９、６，１０、６，１２、４，６、１２，１２、ポリアミド１２、３−キシレン、ジアミン及びアジピン酸から誘導される芳香族ポリアミド、ポリ−２，４，４−トリメチルヘキサメチレンテレフタルアミド又はポリ−３−フェニレン−イソフタルアミドのような化合物などの修飾化合物としてエラストマーを含みうるヘキサメチレンジアミン及びイソ−及び／又はテレフタル酸から誘導されるポリアミドである。
【００２６】
さらなる例は、オレフィン、オレフィン−共重合体、アイオノマー又は化学結合／グラフトエラストマー若しくはオリゴ−及び／又はポリエチレングリコール、ポリプロピレングリコール又はポリテトラメチレングリコールのようなポリエーテルと上記ポリアミドのブロック共重合体である。本発明に適する他の重合体は、加工の間に縮合するＥＰＤＭ−又はＡＢＳ−変性ポリアミド又はコポリアミド又は特殊ポリアミド（いわゆる「ＲＩＭ−ポリアミド系」）である。
【００２７】
ポリアミド６，６及びその共重合体とポリフェニレンオキシド（ＰＰＯ）のような上述したポリアミドの混合物、ポリアミド／ポリエチレン−ＨＤ、ポリアミド／ポリプロピレン及びポリアミド／ＰＰＯは、一般に、本発明によって使用できる。
【００２８】
これらの変性基質は、立体障害型フェノール、立体障害型又は一般的な第二級又は第三級アミン、有機亜リン酸塩及び有機亜ホスホン酸塩及び／又は銅塩、例えば銅（ＩＩ）アセチルアセトナート及び／又はチオール化合物などの他の種類の安定剤と共に選択的に使用できる。
【００２９】
さらに組み合わせて使用できる適切な添加物の例は下記に示すような化合物である：
１．抗酸化剤
１．１  アルキル化モノフェノール、例えば２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、２，６−ジ−ノニル−４−メチルフェノールなどの線状又は側鎖分枝ノニルフェノール、２，４−ジメチル−６−（１−メチルウンデク−１’−イル）−フェノール、２，４−ジメチル−６−（１’−メチルヘプタデク−１’−イル）−フェノール、２，４−ジメチル−６−（１’−メチルトリデク−１’−イル）−フェノール及びそれらの混合物。
【００３０】
１．２  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００３１】
１．３  ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００３２】
１．４  ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス−（２，６−ジメチル−４−ヒドロキシフェニル）ジスルフィド。
【００３３】
１．５  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、ビス（３−ｔｅｒｔ−ブチル−４−ヒドロキシ−５−メチルフェニル）−ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン、エチレングリコールビス［３，３−ビス（３’−ｔｅｒｔ−ブチル−４’−ヒドロキシフェニル）ブチレート］。
【００３４】
１．６  Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセテート、トリス（３，５−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル３，５−ジ−ｔｅｒｔ−ブチル−４−ヒドロキシベンジルメルカプトアセテート、トリデシル４−ヒドロキシ−３，５−ジ−ｔｅｒｔ−ブチルベンジルメルカプトアセテート。
【００３５】
１．７  ヒドロキシベンジル化マロネート、例えばジオクタデシル２，２−ビス（３，５−ジ−ｔｅｒｔ−ブチル−２−ヒドロキシベンジル）マロネート、ジオクタデシル２−（３−ｔｅｒｔ−ブチル−４−ヒドロキシ−５−メチルベンジル）−マロネート、ジドデシル−メルカプトエチル−２，２−ビス（３，５−ジ−ｔｅｒｔ−ブチル−４−ヒドロキシベンジル）−マロネート、ジ−［４−（１，１，３，３−テトラメチルブチル）フェニル］２，２−ビス（３，５−ジ−ｔｅｒｔ−ブチル−４−ヒドロキシベンジル）マロネート。
【００３６】
１．８  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００３７】
１．９  トリアジン化合物、例えば２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００３８】
１．１０  ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジル−ホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００３９】
１．１１  アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
【００４０】
１．１２  β−（３，５−ジ−ｔｅｒｔ−ブチル−４−ヒドロキシフェニル）プロピオン酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００４１】
１．１３  β−（５−ｔｅｒｔ−ブチル−４−ヒドロキシ−３−メチルフェニル）プロピオン酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００４２】
１．１４  β−（３，５−ジシクロヘキシル−４−ヒドロキシフェニル）プロピオン酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００４３】
１．１５  ３，５−ジ−ｔｅｒｔ−ブチル−４−ヒドロキシフェニル酢酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００４４】
１．１６  ３，３−ビス（３’−ｔｅｒｔ−ブチル−４’−ヒドロキシフェニル）酪酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００４５】
１．１７  β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジン。
【００４６】
１．１８  α−トコフェロール、β−トコフェロール、γ−トコフェロール、δ−トコフェロール及びそれらの混合物などのトコフェロール（ビタミンＥ）。
【００４７】
１．１９  アスコルビン酸（ビタミンＣ）。
【００４８】
１．２０  アミン抗酸化剤、例えばＮ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（ナフチル−２）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（トルエンスルホンアミド）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ジ（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ−［（２−メチルフェニル）アミノ］エタン、１，２−ジ−（フェニルアミノ）プロパン、（ｏ−トリル）ビグアニド、ジ［４−（１’，３’−ジメチルブチル）−フェニル］アミン、ｔｅｒｔ−オクチル化Ｎ−フェニル−１−ナフチルアミン、モノ−及びジアルキル化ｔｅｒｔ−ブチル／ｔｅｒｔ−オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化ｔｅｒｔ−ブチルジフェニルアミンの混合物、２，３−ジヒドロ−３，３−ジメチル−４Ｈ−１，４−ベンゾチアジン、フェノチアジン、モノ−及びジアルキル化ｔｅｒｔ−ブチル／ｔｅｒｔ−オクチルフェノチアジンの混合物、モノ−及びジアルキル化ｔｅｒｔ−オクチルフェノチアジンの混合物、Ｎ−アリルフェノチアジン、Ｎ，Ｎ，Ｎ’，Ｎ’−テトラフェニル−１，４’−ジアミノ−ブタ−２−エン、Ｎ，Ｎ−ビス（２，２，６，６−テトラメチルピペリジン−４−イル）ヘキサメチレンジアミン、ビス−（２，２，６，６−テトラメチルピペリジン−４−イル）セバケート、２，２，６，６−テトラメチルピペリジン−４−オン、２，２，６，６−テトラメチルピペリジン−４−オール。
【００４９】
２．紫外線吸収剤及び光安定剤
２．１  ２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−［２’−ヒドロキシ−５’−（１，１，３，３−テトラメチルブチル）−フェニル］ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクトキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、及び２−（３’−ｔｅｒｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル）ベンゾトリアゾールとポリエチレングリコール３００のエステル交換反応産物；Ｒ＝３’−ｔｅｒｔ−ブチル−４’−ヒドロキシ−５’−２Ｈ−ベンゾトリアゾール−２−イル−フェニルである、［Ｒ−ＣＨ２ＣＨ２−ＣＯＯ−（ＣＨ２）３］２。
【００５０】
２．２  ２−ヒドロキシベンゾフェノン、例えば４−ヒドロキシ、４−メトキシ、４−オクトキシ、４−デシルオキシ、４−ドデシルオキシ、４−ベンジルオキシ、４，２’４’−トリヒドロキシ及び２’−ヒドロキシ−４，４’−ジメトキシ誘導体。
【００５１】
２．３  置換又は非置換安息香酸のエステル、例えば４−ｔｅｒｔ−ブチル−フェニルサリシレート、フェニルサリシレート、オクチルフェニルサリシレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００５２】
２．４  アクリレート、例えばエチルα−シアノ−β，β−ジフェニルアクリレート又はイソオクチルα−シアノ−β，β−ジフェニルアクリレート、メチルα−カルボメトキシシンナメート、メチルα−シアノ−β−メチル−ｐ−メトキシシンナメート又はブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００５３】
２．５  ニッケル化合物、例えばｎ−ブチルアミン、トリエタノールアミン又はＮ−シクロヘキシルジエタノールアミンなどの付加的な配位子を有する又は有さない、１：１又は１：２錯体などの、２，２’−チオ−ビス−［４−（１，１，３，３−テトラメチルブチル）フェノール］のニッケル錯体、ニッケルジブチルジチオカルバメート、メチル又はエチルエステルなどのモノアルキルエステルのニッケル塩、４−ヒドロキシ−３，５−ジ−ｔｅｒｔ−ブチルベンジルホスホン酸のニッケル塩、ケトキシム、例えば２−ヒドロキシ−４−メチルフェニルウンデシルケトキシムのニッケル錯体、付加的配位子を有する又は有さない１−フェニル−４−ラウロイル−５−ヒドロキシピラゾールのニッケル錯体。
【００５４】
２．６  立体障害型アミン、例えばビス（２，２，６，６−テトラメチルピペリジン−４−イル）セバケート、ビス（２，２，６，６−テトラメチルピペリジン−４−イル）グルタレート、ビス（２，２，６，６−テトラメチルピペリジン−４−イル）スクシネート、ビス（１，２，２，６，６−ペンタメチルピペリジン−４−イル）セバケート、ビス（１，２，２，６，６−ペンタメチルピペリジン−４−イル）グルタレート、２，２，６，６−テトラメチルピペリジル−ベヘネート、１，２，２，６，６−ペンタメチルピペリジル−ベヘネート、１−ヒドロキシエチル−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−ｓ−トリアジンの縮合物、トリス（２，２，６，６−テトラメチル−４−ピペリジル）ニトリロ−トリアセテート、テトラキス（２，２，６，６−テトラメチル−４−ピペリジル）１，２，３，４−ブタンテトラオエート、１，１’−（１，２−エタンジイル）−ビス−（３，３，５，５−テトラメチルピペラジノン）、４−ベンゾイル−２，２，６，６−テトラメチルピペリジン、４−ステアリルオキシ−２，２，６，６−テトラメチルピペリジン、４−ステアロイルオキシ−２，２，６，６−テトラメチルピペリジン、４−ステアリルオキシ−１，２，２，６，６−ペンタメチルピペリジン、４−ステアロイルオキシ−１，２，２，６，６−ペンタメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、ビス（１，２，２，６，６−ペンタメチルピペリジル）−２−ｎ−ブチル−２−（４−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの縮合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、２−クロロ−４，６−ジ−（４−ｎ−ブチルアミノ−２，２，６，６−テトラメチルピペリジル）−１，３，５−トリアジンと１，２−ビス−（３−アミノプロピルアミノ）エタンの縮合物、２−クロロ−４，６−ジ−（４−メトキシプロピルアミノ−２，２，６，６−テトラメチルピペリジル）−１，３，５−トリアジンと１，２−ビス−（３−アミノプロピルアミノ）エタンの縮合物、２−クロロ−４，６−ジ−（４−メトキシプロピルアミノ−１，２，２，６，６−ペンタメチルピペリジル）−１，３，５−トリアジンと１，２−ビス−（３−アミノプロピルアミノ）エタンの縮合物���２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、２−クロロ−４，６−ジ−（４−ｎ−ブチルアミノ−２，２，６，６−テトラメチルピペリジル）−１，３，５−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−１，２，２，６，６−ペンタメチルピペリジル）−１，３，５−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−２，２，６，６−テトラメチルピペリジル）−１，３，５−トリアジン及び４−ｔｅｒｔ−オクチルアミノ−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−１，２，２，６，６−ペンタメチルピペリジル）−１，３，５−トリアジン及び４−ｔｅｒｔ−オクチルアミノ−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−２，２，６，６−テトラメチルピペリジル）−１，３，５−トリアジン及び４−（４−ｎ−ブチルアミノ−２，２，６，６−テトラメチルピペリジル）−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−１，２，２，６，６−ペンタメチルピペリジル）−１，３，５−トリアジン及び４−（４−ｎ−ブチルアミノ−２，２，６，６−テトラメチルピペリジル）−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物で���って、アミン上の活性水素原子が１から全ての間で置換されている反応産物、１，２−ビス（３−アミノプロピルアミノ）エタン及び２，４，６−トリクロロ−１，３，５−トリアジン及び４−ブチルアミノ−２，２，６，６−テトラメチルピペリジンの縮合物、Ｎ−（２，２，６，６−テトラメチル−４−ピペリジル）−ｎ−ドデシルスクシニミド、Ｎ−（１，２，２，６，６−ペンタメチル−４−ピペリジル）−ｎ−ドデシルスクシニミド、８−アセチル−３−ドデシル−７，７，９，９−テトラメチル−１，３，８−トリアザスピロ［４．５］デカン−２，４−ジオン、オリゴマー化２，２，４，４−テトラメチル−２０−（オキシラニルメチル）−７−オキサ−３，２０−ジアザジスピロ［５．１．１１．２］ヘンエイコサン−２１−オン、オリゴマー化１，２，２，４，４−ペンタメチル−２０−（オキシラニルメチル）−７−オキサ−３，２０−ジアザジスピロ［５．１．１１．２］ヘンエイコサン−２１−オン、オリゴマー化１−アセチル−２，２，４，４−テトラメチル−２０−（オキシラニルメチル）−７−オキサ−３，２０−ジアザジスピロ［５．１．１１．２］ヘンエイコサン−２１−オン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、２，２，４，４−テトラメチル−７−オキサ−３，２０−ジアザジスピロ［５．１．１１．２］ヘンエイコサン−２１−オン、２，２，４，４−テトラメチル−７−オキサ−２１−オキソ−３，２０−ジアザジスピロ［５．１．１１．２］ヘンエイコサン−３−プロパン酸ドデシルエステル、２，２，４，４−テトラメチル−７−オキサ−２１−オキソ−３，２０−ジアザジスピロ［５．１．１１．２］ヘンエイコサン−３−プロパン酸テトラデシルエステル、２，２，３，４，４−ペンタメチル−７−オキサ−３，２０−ジアザジスピロ［５．１．１１．２］ヘンエイコサン−２１−オン、２，２，３，４，４−ペンタメチル−７−オキサ−２１−オキソ−３，２０−ジアザジスピロ［５．１．１１．２］ヘンエイコサン−３−プロパン酸ドデシルエステル、２，２，３，４，４−ペンタメチル−７−オキサ−２１−オキソ−３，２０−ジアザジスピロ［５．１．１１．２］ヘンエイコサン−３−プロパン酸テトラデシルエステル、３−アセチル−２，２，４，４−テトラメチル−７−オキサ−３，２０−ジアザジスピロ［５．１．１１．２］ヘンエイコサン−２１−オン、３−アセチル−２，２，４，４−テトラメチル−７−オキサ−２１−オキソ−３，２０−ジアザジスピロ［５．１．１１．２］ヘンエイコサン−３−プロパン酸ドデシルエステル、３−アセチル−２，２，４，４−テトラメチル−７−オキサ−２１−オキソ−３，２０−ジアザジスピロ［５．１．１１．２］ヘンエイコサン−３−プロパン酸テトラデシルエステル、１，１’，３，３’，５，５’−ヘキサヒドロ−２，２’，４，４’，６，６’−ヘキサアザ−２，２’，６，６’−ビスメタノ−７，８−ジオキソ−４，４’−ビス（１，２，２，６，６−ペンタメチル−４−ピペリジル）ビフェニル、ポリ−Ｎ，Ｎ’−ビス−���２，２，６，６−テトラメチル−４−ピペリジル）−１，８−ジアザデシレン、２，２，６，６−テトラメチル−４−アリルオキシピペリジンとポリメチルヒドリドシロキサン（分子量４０００まで）の付加物、１，２，２，６，６−ペンタメチル−４−アリルオキシピペリジンとポリメチルヒドリドシロキサン（分子量４０００まで）の付加物、Ｎ，Ｎ’−ジホルミル−Ｎ，Ｎ’−ビス（２，２，６，６−テトラメチル−４−ピペリジニル）−ヘキサメチレンジアミン、Ｎ，Ｎ’−ジホルミル−Ｎ，Ｎ’−ビス（１，２，２，６，６−ペンタメチル−４−ピペリジニル）ヘキサメチレンジアミン、５，１１−ビス（２，２，６，６−テトラメチル−４−ピペリジニル）−３，５，７，９，１１，１３−ヘキサアザテトラシクロ［７．４．０．０２，７．１３，１３］テトラデカン−８，１４−ジオン、５，１１−ビス（１，２，２，６，６−ペンタメチル−４−ピペリジニル）−３，５，７，９，１１，１３−ヘキサアザテトラシクロ［７．４．０．０２，７．１３，１３］テトラデカン−８，１４−ジオン、［（４−メトキシフェニル）メチレン］−プロパン二酸ビス（２，２，６，６−テトラメチル−４−ピペリジニル）エステル、［（４−メトキシフェニル）メチレン］−プロパン二酸ビス（１，２，２，６，６−ペンタメチル−４−ピペリジニル）エステル、２，４，６−トリス（Ｎ−シクロヘキシル−Ｎ−［２−（３，３，４，５，５−ペンタメチルピペラジノン−１−イル）エチル］アミノ）−１，３，５−トリアジン、メチルスチレンを有するスチレンと、４−アミノ−２，２，６，６−テトラメチルピペリジン及びオクタデシルアミンと反応させた無水マレイン酸の共重合体、α−メチルスチレンを有するスチレンと、４−アミノ−１，２，２，６，６−ペンタメチルピペリジン及びオクタデシルアミンと反応させた無水マレイン酸の共重合体、ジオール成分として２，２’−［（２，２，６，６−テトラメチル−４−ピペリジニル）イミノ］ビス［エタノール］を有するポリカーボネート、ジオール成分として２，２’−［（１，２，２，６，６−ペンタメチル−４−ピペリジニル）イミノ］ビス［エタノール］を含むポリカーボネート、無水マレイン酸と、４−アミノ−２，２，６，６−テトラメチルピペリジンと反応させたＣ３０までのα−オレフィンの共重合体、無水マレイン酸と、１−アセチル−４−アミノ−２，２，６，６−テトラメチルピペリジンと反応させたＣ３０までのα−オレフィンの共重合体、無水マレイン酸と、４−アミノ−１，２，２，６，６−ペンタメチルピペリジンと反応させたＣ３０までのα−オレフィンの共重合体、及びピペリジン上に遊離ＮＨ基を有する上記化合物のＮ−アルキル−及びＮ−アリール−オキシ誘導体、特にＣ１−Ｃ１８までのα−メチルベンジルオキシ及びアルキルオキシ。
【００５５】
２．７  オキサミド、例えば４，４’−ジオクチルオキシオキサニリド、２，２’−ジエトキシアニリド、２，２’−ジオクチルオキシ−５，５’−ジ−ｔｅｒｔ−ブチルオキサニリド、２，２’−ジドデシルオキシ−５，５’−ジ−ｔｅｒｔ−ブチルオキサニリド、２−エトキシ−２’−エチルオキサニリド、Ｎ，Ｎ’−ビス（３−ジメチルアミノプロピル）−オキサミド、２−エトキシ−５−ｔｅｒｔ−ブチル−２’−エチルオキサニリド及び２−エトキシ−２’−エチル−５，４’−ジ−ｔｅｒｔ−ブチルオキサニリドとのその混合物、ｏ−及びｐ−メトキシ二置換オキサニリドの混合物及びｏ−及びｐ−エトキシ二置換オキサニリドの混合物。
２．８  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４’，６−ビス（２’，４−ジメチルフェニル）−１，３，５−トリアジン、２−（２，４−ジヒドロキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン。
【００５６】
３．金属誘導体、例えばＮ，Ｎ’−ジフェニルオキサミド、Ｎ−サリシラル−Ｎ’−サリシロイルヒドラジン、Ｎ，Ｎ’−ビス（サリシロイル）ヒドラジン、Ｎ，Ｎ’−ビス（３，５−ジ−ｔｅｒｔ−ブチル−４−ヒドロキシフェニルプロピオニル）ヒドラジン、３−サリシロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリシロイル）オキサリルジヒドラジド、Ｎ，Ｎ’−ビス（サリシロイル）チオプロピオニルジヒドラジド。
【００５７】
４．ホスファイト及びホスホナイト、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ビスイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリ−ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、トリス（２−ｔｅｒｔ−ブチル−４−チオ（２’−メチル−４’−ヒドロキシ−５’−ｔｅｒｔ−ブチル）フェニル−５−メチル）フェニルホスファイト、２，２’，２’’−ニトリロ［トリエチルトリス（３，３’，５，５’−テトラ−ｔｅｒｔ−ブチル−１，１’−ビフェニル−２，２’−ジイル）ホスファイト］、ビス［２−メチル−４，６−ビス（１，１−ジメチルエチル）フェノール］亜リン酸エチルエステル。
【００５８】
５．ヒドロキシルアミン、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂脂肪アミンから製造されるＮ，Ｎ−ジアルキルヒドロキシルアミン。
【００５９】
６．ニトロン、例えばＮ−ベンジルα−フェニルニトロン、Ｎ−エチルα−メチルニトロン、Ｎ−オクチルα−ヘプチルニトロン、Ｎ−ラウリルα−ウンデシルニトロン、Ｎ−テトラデシルα−トリデシルニトロン、Ｎ−ヘキサデシルα−ペンタデシルニトロン、Ｎ−オクタデシルα−ヘプタデシルニトロン、Ｎ−ヘキサデシルα−ヘプタデシルニトロン、Ｎ−オクタデシルα−ペンタデシルニトロン、Ｎ−ヘプタデシルα−ヘプタデシルニトロン、Ｎ−オクタデシルα−ヘキサデシルニトロン、水素化獣脂脂肪アミンから製造されるＮ，Ｎ−ジアルキルヒドロキシルアミンから誘導されるニトロン。
【００６０】
７．ＤＨＴ  ４Ａ（登録商標）などのゼオライト及びハイドロタルサイト。この種のハイドロタルサイトは式：
［（Ｍ２＋）１−ｘ（Ｍ３＋）ｘ（ＯＨ）２（Ａｎ−）ｘ／ｎｙＨ２Ｏ］、
［式中、
（Ｍ２＋）はＭｇ、Ｃａ、Ｓｒ、Ｂａ、Ｚｎ、Ｐｂ、Ｓｎ、Ｎｉであり、
（Ｍ３＋）はＡｌ、Ｂ、Ｂｉであり、
Ａｎは原子価ｎの陰イオンであり、
ｎは１から４の整数であり、
ｘは０から０．５までの値であり、
ｙは０から２までの値であり、
ＡはＯＨ−、Ｃｌ−、Ｂｒ−、Ｉ−、ＣｌＯ４−、ＣＨ３ＣＯＯ−、Ｃ６Ｈ５ＣＯＯ−、ＣＯ３２−、ＳＯ４２−、（ＯＯＣ−ＣＯＯ）２−、（ＣＨＯＨＣＯＯ）２２−、（ＣＨＯＨ）４ＣＨ２ＯＨＣＯＯ−、Ｃ２Ｈ４（ＣＯＯ）２２−、（ＣＨ２ＣＯＯ）２２−、ＣＨ３ＣＨＯＨＣＯＯ−、ＳｉＯ３２−、ＳｉＯ４４−、Ｆｅ（ＣＮ）６３−、Ｆｅ（ＣＮ）６４−、ＢＯ３３−、ＰＯ３３−、ＨＰＯ４２−である］
によって表わすことができる。
（Ｍ２＋）が（Ｃａ２＋）、（Ｍｇ２＋）又は（Ｍｇ２＋）と（Ｚｎ２＋）の混合物であり；（Ａｎ−）がＣＯ３−、ＢＯ３−、ＰＯ３−であり；ｘが０から０．５の値を持ち、ｙが０から２の値を持つ、ハイドロタルサイトを使用することが好ましい。また、式：
［（Ｍ２＋）ｘ（Ａｌ３＋）２（ＯＨ）２ｘ＋６ｎｚ（Ａｎ−）２ｙＨ２Ｏ］
で表わされるハイドロタルサイトを使用することも可能である。
【００６１】
ここでは、（Ｍ２＋）はＭｇ２＋、Ｚｎ２＋であるが、より好ましくはＭｇ２＋である。（Ａｎ−）は、ｎがイオンの原子価を表わす陰イオン、特にＣＯ３２−、（ＯＯＣ−ＣＯＯ）２−、ＯＨ−及びＳ２−から成る群からの陰イオンである。ｙは正の数であり、より好ましくは０から５まで、特に０．５から５までである。ｘ及びｚは正の値を持ち、ｘについては好ましくは２から６までであり、ｚについては２未満であるべきである。下記の式のハイドロタルサイトは特に好ましいとみなされる：
Ａｌ２Ｏ３×６ＭｇＯ×ＣＯ２×１２Ｈ２Ｏ、
Ｍｇ４．５Ａｌ２（ＯＨ）１３×ＣＯ３×３．５Ｈ２Ｏ、
４ＭｇＯ×Ａｌ２Ｏ３×ＣＯ２×９Ｈ２Ｏ、
４ＭｇＯ×Ａｌ２Ｏ３×ＣＯ２×６Ｈ２Ｏ、
ＺｎＯ×３ＭｇＯ×Ａｌ２Ｏ３×ＣＯ２×８−９Ｈ２Ｏ、
ＺｎＯ×３ＭｇＯ×Ａｌ２Ｏ３×ＣＯ２×５−６Ｈ２Ｏ、
Ｍｇ４．５Ａｌ２（ＯＨ）１３×ＣＯ３。
【００６２】
ハイドロタルサイトは、全体的重合体製剤に基づき、好ましくは０．０１重量％から５重量％、特に０．２重量％から３重量％の濃度で、重合体中で使用される。
【００６３】
８．チオ相乗剤、例えばジラウリルチオジプロピオネート及びジステアリルチオジプロピオネート。
【００６４】
９．過酸化物捕捉剤、例えばβ−チオジプロピオン酸のエステル、例えばラウリル、ステアリル、ミリスチル又はトリデシルエステル、メルカプトベンズイミダゾール、２−メルカプトベンズイミダゾールの亜鉛塩、アルキルジチオカルバミン酸亜鉛、ジブチルジチオカルバミン酸亜鉛、ジオクタデシルモノスルフィド、ジオクタデシルジスルフィド、ペンタエリトリトールテトラキス（β−ドデシルメルカプト）プロピオネート。
【００６５】
１０．ポリアミド安定剤、例えばヨウ化物及び／又はリン化合物と組み合わせた銅塩及び二価マンガンの塩。
【００６６】
１１．塩基性コスタビライザー、例えばメラミン、ポリビニルピロリドン、ジシアンジアミドトリアリルシアヌレート、尿素誘導体、ヒドラジン誘導体、アミン、ポリアミン、ポリウレタン、高級脂肪酸のアルカリ金属及びアルカリ土類金属塩、例えばステアリン酸カルシウム、ステアリン酸亜鉛、ベヘン酸マグネシウム、ステアリン酸マグネシウム、リシノール酸ナトリウム、パルミチン酸カリウム、ピロカテコール酸アンチモン又はピロカテコール酸スズ、乳酸のアルカリ金属及びアルカリ土類金属塩及び亜鉛塩又はアルミニウム塩。
【００６７】
１２．無機物質、例えば滑石、酸化チタン又は酸化マグネシウムなどの金属酸化物、好ましくはアルカリ土類金属のリン酸塩、炭酸塩又は硫酸塩、モノ−又はポリカルボン酸及びそれらの塩などの有機化合物、例えば４−ｔｅｒｔ−ブチル安息香酸、アジピン酸；ジフェニル酢酸；コハク酸ナトリウム又は安息香酸ナトリウム；例えば１，３−２，４−ジ（ベンジリデン）−Ｄ−ソルビトール、１，３−２，４−ジ（４−トリリデン）−Ｄ−ソルビトール、１，３−２，４−ジ（４−エチルベンジリデン）−Ｄ−ソルビトールなどのソルビトールのような多官能性アルコールと芳香族アルデヒドのアセタール、例えばイオン共重合体（アイオノマー）などの高分子化合物のような核形成剤。
【００６８】
１３．充填剤及び補強剤、例えば炭酸カルシウム、シリケート、ガラス繊維、アスベスト、滑石、カオリン、雲母、硫酸バリウム、金属酸化物及び金属水酸化物、カーボンブラック、黒鉛、木粉及び他の粉末又は他の天然産物の繊維、合成繊維。
【００６９】
１４．他の添加物、例えば可塑剤、潤滑剤、乳化剤、顔料、流動学的添加物、触媒、水平化補助剤（ｌｅｖｅｌｉｎｇ  ａｓｓｉｓｔａｎｔｓ）、光沢剤、難燃性付与剤、帯電防止剤、発泡剤。
【００７０】
１５．例えば米国特許第４３２５８６３号、同第４３３８２４４号、同第５１７５３１２号、同第５２１６０５２号、同第５２５２６４３号、ドイツ特許願第４３１６６１１号、同第４３１６６２２号、同第４３１６８７６号、欧州特許願第０５８９８３９号又は同第０５９１１０２号に述べられているようなベンゾフラノン及びインドリン、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］−ベンゾフラノン−２−オン、３，３’−ビス［５，７−ジ−ｔｅｒｔ−ブチル−３−（４−［２−ヒドロキシエトキシ］フェニル）−ベンゾフラン−２−オン、５，７−ジ−ｔｅｒｔ−ブチル−３−（４−エトキシフェニル）−ベンゾフラン−２−オン、３−（４−アセトキシ−３，５−ジメチルフェニル）−５，７−ジ−ｔｅｒｔ−ブチルベンゾフラン−２−オン、３−（３，５−ジエチル−４−ピバロイルオキシフェニル）−５，７−ジ−ｔｅｒｔ−ブチルベンゾフラン−２−オン。
【００７１】
新しい系の明らかな利点は、低い移動傾向を有する化学的に固定された紫外線吸収剤を含むポリアミドベースの製品を技術的に入手可能にすることである。この事実は、それらの製品の長期的使用のために特に重要である。意外にもこれらの新しい系は、紫外線吸収剤が基質と物理的に混合されている従来のポリアミドと比較して、改善された機能特性を示す。
【００７２】
上記のように、ポリアミド共重合体の製造は、一般に、溶解度は高いが機能特性があまり良好でない生成物を導く。意外にも、所与の場合、共重縮合は概して有意にそれらの性質を改善する。
【００７３】
下記の実施例は本発明を非制限的に明らかにするものである。
【実施例】
【００７４】
コポリアミドの合成
ポリアミド及び紫外線吸収剤を含む上記コポリアミドの合成を、加熱サイクルに接続し、電気加熱可能な底部ブロー弁に連結したステンレス鋼のオートクレーブ（容量：５ｌ）内で実施した。速度調節可能なステンレス鋼攪拌装置により、反応器内での強力な攪拌を確保した。オートクレーブ内部の圧は圧力計によって制御可能であり、また圧調節弁を用いて手動でも調節可能であった。バーストディスク（ｂｕｒｓｔｉｎｇ  ｄｉｓｃ）を圧放出弁として使用した。オートクレーブの精製は、２５０℃でトリエチレングリコールと共に、６４℃でメタノールと共に及びＴ＝７７℃で酢酸エチルと共に、その後少量の酢酸と共に手動で加熱することによって実施した。
【００７５】
単一重合体を製造するすべてのバッチは、カプロラクタム（融点Ｔ＝６９℃、沸点Ｔ＝２６８℃）７００ｇ（６．１９ｍｏｌ）から出発して実施した。オートクレーブでの加熱後、規則的な攪拌下に装置を通して永続的窒素流を吹き込み、遊離酸素を反応器から定量的に除去するためにカプロラクタムの完全な融解後３０分間継続して、融解物の温度をＴ＝８０℃に保持した。最初の融解から約７５分後、次の化学物質を加えた：ε−アミノカプロン酸７．０ｇ（１重量％、０．５５モル％）、安息香酸２．１ｇ（０．３重量％、１７ｍｍｏｌ、０．２８モル％）及び２回蒸留水２１．０ｍｌ（３．０重量％、１．１７ｍｍｏｌ、１８．８モル％）。その後オートクレーブを完全に密封した。反応混合物の加熱を最初にＴ＝２３０℃で２時間実施し、その後Ｔ＝２４５℃までのさらに２時間以内の緩やかな加熱を選択して、さらに１時間この温度を保持した。オートクレーブ内部の圧を４−４．５バールまで上げた。過剰圧期の開始から約５時間後、３５分から４０分間、慎重に圧放出を行った。急速な圧放出は、反応混合物が泡立って圧調節弁をふさぐので、絶対に避けねばならない。ＰＶＣチューブを使用して冷水中への過熱水蒸気及び窒素の流動を実施した。正常圧に達した後、反応混合物を窒素下でＴ＝２６０℃に加熱した。さらに２時間から３時間後、反応を中断させた。約４バールの窒素過剰圧を使用して、底部弁を通して生成物を氷上に取り出した。回旋ドラムを使用して漏出重合体束を収集し、その後粒状化した。
【００７６】
収率：カプロラクタムの初期量に対して７５重量％から８５重量％。
【００７７】
上記の種類の紫外線吸収剤との共重縮合のために、カプロラクタムの初期量に対して０．５重量％のこれらの化合物を開始時に反応器に注入した。その後の手順は上述したのと同じであった。
【００７８】
ポリアミド繊維の製造
重層乾燥装置を備えた単スクリュー押出機を使用して繊維の製造を行った。押出機の５つの加熱帯域を２８９℃（帯域１）から２６５℃（スピンヘッド）までの温度間隔で設定した。紡績突起（ｓｐｉｎｎｅｒｅｔ）は４００ノズル（直径１０μｍ）から成った。スクリューを４０ｒｐｍで駆動して、０．６ｄｍ３／分の容量を生じさせた。紡績突起において、融解物は３０バールまでの圧に達した。紡績仕上げのために、６重量％の濃度のＤｒｙｆｉ  ＲＩＬ水溶液を使用して、ＰＯＹ（予備配向糸（Ｐｒｅ−Ｏｒｉｅｎｔｅｄ  Ｙａｒｎ））フィラメントラインの一部としてワインダーに適用した。ワインダー自体は４０００ｒｐｍの速度で使用した。
【００７９】
機能試験プログラムからの一連の試験パラメータを表１に示す。データは、ポリアミド中の共重縮合形態の２つの紫外線吸収剤、Ｓａｎｄｕｖｏｒ（登録商標）ＰＲ−２５及びＳａｎｄｕｖｏｒ（登録商標）ＶＳＵのような安定剤を使用して予想外に発見された利点を明らかにしている。
【００８０】
【表１】
2004537632.tif 000004
【国際公開パンフレット】
2004537632.tif 000005
2004537632.tif 000006
2004537632.tif 000007
2004537632.tif 000008
2004537632.tif 000009
2004537632.tif 000010
2004537632.tif 000011
2004537632.tif 000012
2004537632.tif 000013
2004537632.tif 000014
2004537632.tif 000015
2004537632.tif 000016
2004537632.tif 000017
2004537632.tif 000018
2004537632.tif 000019
2004537632.tif 000020
2004537632.tif 000021
2004537632.tif 000022
2004537632.tif 000023
2004537632.tif 000024
2004537632.tif 000025
2004537632.tif 000026
2004537632.tif 000027
【手続補正書】
【提出日】平成15年7月4日(2003.7.4)
【手続補正１】
【補正対象書類名】特許請求の範囲
【補正対象項目名】全文
【補正方法】変更
【補正の内容】
【特許請求の範囲】
【請求項１】
プレポリマー化合物と紫外線吸収剤の共縮合によって生産される、オキサニリド又はベンジリデン−マロネート型の化学結合紫外線吸収剤を含むポリアミド。
【請求項２】
紫外線吸収剤が２−エチル−２’−エトキシ−オキサニリド又はプロパン二酸−［（４−メトキシフェニル）−メチレン］−ジメチルエステルである、請求項１に記載のポリアミド。
【請求項３】
プレポリマー化合物がカプロラクタム、ε−アミノ−カプロン酸及び安息香酸である、請求項１又は２に記載のポリアミド。
【請求項４】
縮合反応の前にプレポリマー化合物と紫外線吸収剤を混合し、紫外線吸収剤をプレポリマー化合物に対して０．０００１重量％から５重量％の濃度範囲で使用する、請求項１から３のいずれかに記載の、改善された力学的特性を有するポリアミドの生産のための方法。
【請求項５】
紫外線吸収剤の濃度がプレポリマー化合物に対して０．００１重量％から３重量％である、請求項４に記載の方法。
【請求項６】
改善された力学的特性を有する繊維の製造のための、請求項１から３のいずれかに記載のポリアミドの使用。
【国際調査報告】
2004537632.tif 000028
2004537632.tif 000029